(57)【要約】      （修正有）【課題】タッチ制御装置、タッチ制御装置の機能拡張デバイス、及びＵＳＢレセプタクルコネクタを提供する。【解決手段】筒状ハウジング１１と、筒状ハウジング内に設置されている回路基板１２と、筒状ハウジング内に設置されると共に回路基板と接続されている拡張板１４と、を備える。筒状ハウジングは互いに反対側にある前端部１１１と後端部１１２とを有する。筒状ハウジングは前端部から後端部にわたって配置槽が凹設するように形成されている。筒状ハウジングは後端部に配置槽と連通するように収容槽１１４が凹設して構成されるとともに、収容槽の断面積は配置槽の断面積より大きい。回路基板の一端にはＵＳＢ３．１のタイプＣ接続インターフェースを備える舌部１２１が形成されている。回路基板は配置槽内に穿設され、舌部が前端部内に位置されている。拡張板は舌部から離れる回路基板の他端に略垂直に接続されている。拡張板は収容槽に収容されている。【選択図】図９
0003216015.tif 000002
【実用新案登録請求の範囲】
【請求項１】
タッチペン先が一端に設け、ＵＳＢ３．１のタイプＣ接続インターフェースを備えるＵＳＢプラグコネクタが他端に設け、前記タッチペン先と前記ＵＳＢプラグコネクタとに電気的に接続される電源モジュールを含む、タッチペンと、
前記タッチペンに設けられるＵＳＢプラグコネクタに着脱自在に差し込むＵＳＢレセプタクルコネクタと、前記ＵＳＢレセプタクルコネクタに取り付けられる機能モジュールと、を備える機能拡張デバイスと、
を備えるタッチ制御装置であって、
前記ＵＳＢレセプタクルコネクタは、
互いに反対側にある前端部と後端部とを有し、前記前端部から前記後端部にわたって凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容され、前記回路基板と接続されない外板面にて機能モジュールが取り付けられる拡張板と
を備え、
前記タッチペンの前記ＵＳＢプラグコネクタと前記機能拡張デバイスの前記ＵＳＢレセプタクルコネクタとを互いにドッキングすることにあたって、前記ＵＳＢプラグコネクタを前記配置槽内に穿設し前記舌部と電気的に接続することにより、前記機能モジュールと前記タッチペンとを電気的に接続させ、前記タッチペンの前記電源モジュールにより前記機能モジュールの作動に必要の電力を提供することを特徴とするタッチ制御装置。
【請求項２】
前記配置槽はさらに、
いずれも前記舌部に至る距離が同じで互いに平行する二つ平面壁と、一つが前記二つの平面壁の一端に連接され、もう一つが前記二つの平面壁の他端に連接される二つの曲面壁と、が設けられ前記前端部に位置される前段槽と、
構造が前記前段槽と異なるとともに、前記後端部に位置される後段槽と、
を備える請求項１に記載のタッチ制御装置。
【請求項３】
前記筒状ハウジングは円柱体に形成され、それの外側面が前記タッチペンの外側面と面一になり、
前記機能拡張デバイスは前記二つの平面壁に垂直する円形断面に、前記舌板が前記円形断面の直径上に位置され、
前記筒状ハウジングの肉厚は前記舌板の垂直二等分線に対応する部分から両側に向かって逓減するように構成される請求項２に記載のタッチ制御装置。
【請求項４】
前記筒状ハウジングは、前記後段槽の前端に設けられる、それぞれの位置が前記曲面壁に対応して前記前段槽の槽底とする二つの前端壁と、前記後段槽の後端に設けられ、前記収容槽の槽底とする後端壁とを備える、請求項２に記載のタッチ制御装置。
【請求項５】
前記前端壁の各々の略中央位置には、前記後端壁まで凹設するとともに、それぞれが前記後段槽と前記収容槽とに連通するように構成される制限槽が設けられ、
前記回路基板はさらに、前記舌部と接続されて前記舌部から離れる末端が前記拡張板に略垂直に接続される、両側縁がそれぞれ前記二つの制限槽内に穿設するように定位された載置部を備える、請求項４に記載のタッチ制御装置。
【請求項６】
前記後端壁には二つの切り口が凹設するように設けられ、
前記拡張板は前記後端壁に設け、
前記ＵＳＢレセプタクルコネクタはさらに、前記回路基板と前記拡張板とを接続するとともに、それぞれが前記二つの複数の切り口に収容された溶接部を含む請求項４に記載のタッチ制御装置。
【請求項７】
前記タッチ制御装置は、前記タッチペン或いは前記機能拡張デバイスに取り付けられる処理装置を備え、
前記機能モジュールは、
前記処理装置と電気的に接続され、外部の色を取り込むとともに、前記処理装置を介して、前記タッチペン先が前記外部の色をタッチパネルに書き込み入力させるようにするカラーピッカーと、
白色光を発生する発光ユニットと、
前記発光ユニットと前記カラーピッカーとを電気的に接続し、押すことにより前記発光ユニットと前記カラーピッカーを駆動する起動器と、
を備える請求項１から６のいずれか１項に記載のタッチ制御装置。
【請求項８】
前記起動器は前記拡張板の前記外板面における略中央位置に設けられ、
前記カラーピッカーと前記発光ユニットはそれぞれ前記起動器において反対側に設けられ、
前記機能拡張デバイスは、着脱自在に前記筒状ハウジングの前記後端部に取れ付ける、一部が前記収容槽に位置され前記拡張板の前記外板面周縁に対応するエンドキャップと、押されると前記起動器を起動できるように、前記エンドキャップに穿設するように前記起動器に当接する透明ボタンと、を備え、
前記透明ボタンが外部オブジェクトに対して押されるとき、前記起動器は、前記透明ボタンにより起動され、前記発光ユニットと前記カラーピッカーを駆動し、前記発光ユニットが発生する白色光を前記透明ボタンから通じ、前記外部オブジェクトに投射させ、
前記カラーピッカーは前記外部オブジェクトにより反射され前記透明ボタンから通じた光線を受光する請求項７に記載のタッチ制御装置。
【請求項９】
互いに反対側にある前端部と後端部とを有し、前記前端部から前記後端部にわたって凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容され、前記回路基板に接続されない外板面にて機能モジュールが取り付けられる拡張板と、
を備えるＵＳＢレセプタクルコネクタと、
処理装置と、前記処理装置と電気的に接続されるカラーピッカーと、白色光を発生する発光ユニットと、前記発光ユニットと前記カラーピッカーとを電気的に接続し、押すことにより前記発光ユニットと前記カラーピッカーを駆動する起動器と、を備え、前記ＵＳＢレセプタクルコネクタにおける拡張板に取り付けられる機能モジュールと、
を含むタッチ制御装置の機能拡張デバイス。
【請求項１０】
互いに反対側にある前端部と後端部とを有し、前記前端部から前記後端部に凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容される拡張板と、
を備えるＵＳＢレセプタクルコネクタ。
【考案の詳細な説明】
【技術分野】
【０００１】
本考案は、ＵＳＢレセプタクルコネクタに関し、特に、タッチ制御装置、タッチ制御装置の機能拡張デバイス、及びＵＳＢレセプタクルコネクタに関する。
【背景技術】
【０００２】
現在におけるＵＳＢレセプタクルコネクタ（特にＵＳＢ３．１のタイプＣのレセプタクルコネクタ）の大部は、タングプレートと、該タングプレートの外側を包む金属シールドケースとを含む。その中、前記金属シールドケースは単一のスライスを曲げて構成されるため、電子装置の外形は上記金属シールドケースを収容するように前記金属シールドケースの外形に合わせなければならない。そのために、上記金属シールドケースは実際に現在のＵＳＢレセプタクルコネクタの応用範囲及び発展を制限することになる。
【考案の概要】
【考案が解決しようとする課題】
【０００３】
本件の考案者は、前記のような欠点を改善するために、入念な研究を重ねて科学原理を応用して、結果として設計が合理的で前記欠点も効果的に改善できる考案をようやく提出した。
【課題を解決するための手段】
【０００４】
本考案の実施例は、現在のＵＳＢレセプタクルコネクタが存在可能の欠点を効果的に改善し得るタッチ制御装置、タッチ制御装置の機能拡張デバイス、及びＵＳＢレセプタクルコネクタを提供する。
本考案の一つの実施例によれば、タッチペン、および機能拡張デバイスを備えるタッチ制御装置が提供される。前記タッチペンの一端には、タッチペン先が設け、前記タッチペンの他端にはＵＳＢ３．１のタイプＣ接続インターフェースを備えるＵＳＢプラグコネクタが設けられる。前記タッチペンは前記タッチペン先と前記ＵＳＢプラグコネクタとに電気的に接続される電源モジュールを含む。前記機能拡張デバイスは、前記タッチペンに設けられるＵＳＢプラグコネクタに着脱自在に差し込むＵＳＢレセプタクルコネクタと、前記ＵＳＢレセプタクルコネクタに取り付けられる機能モジュールとを備える。
前記ＵＳＢレセプタクルコネクタは、筒状ハウジング、回路基板、及び拡張板を備える。前記筒状ハウジングは、互いに反対側にある前端部と後端部とを有する。前記筒状ハウジングは、前記前端部から前記後端部に凹設して構成された配置槽と、前記配置槽と連通するように前記後端部に凹設される断面積が前記配置槽より大きく構成される収容槽とを備える。前記回路基板は、一端に舌部が形成される。該舌部はＵＳＢ３．１のタイプＣ接続インターフェースを備える。その中、前記回路基板は、前記配置槽内に穿設される。前記舌部は前記前端部に位置される。前記拡張板は、前記回路基板における前記舌部から離れる他端に略垂直に接続され、前記収容槽内に収容される。前記回路基板に接続されない外板面にて機能モジュールが取り付けられる。
前記タッチペンの前記ＵＳＢプラグコネクタと前記機能拡張デバイスの前記ＵＳＢレセプタクルコネクタとを互いにドッキングすることにあたって、前記ＵＳＢプラグコネクタを前記配置槽内に穿設し前記舌部と電気的に接続することにより、前記機能モジュールと前記タッチペンとを電気的に接続させ、前記タッチペンの前記電源モジュールにより前記機能モジュールの作動に必要の電力を提供する。
【０００５】
本考案の他の実施例によれば、ＵＳＢレセプタクルコネクタと、機能モジュールとを含むタッチ制御装置の機能拡張デバイスが提供される。前記ＵＳＢレセプタクルコネクタは、筒状ハウジング、回路基板、及び拡張板を備える。前記筒状ハウジングは、互いに反対側にある前端部と後端部とを有し、前記前端部から前記後端部に凹設して構成された配置槽と、前記配置槽と連通するように前記後端部に凹設される、断面積が前記配置槽より大きく構成される収容槽とを有する。前記回路基板は、一端に舌部が形成される。該舌部はＵＳＢ３．１のタイプＣ接続インターフェースを備える。前記回路基板は、前記配置槽内に穿設される。前記舌部は前記前端部に位置される。前記拡張板は、前記回路基板における前記舌部から離れる他端に略垂直に接続され、前記収容槽内に収容される。
前記機能モジュールは、前記ＵＳＢレセプタクルコネクタの前記拡張板に取り付けられる。前記機能モジュールは、処理装置、前記処理装置と電気的に接続されるカラーピッカーと、白色光を発生する発光ユニットと、前記発光ユニットと前記カラーピッカーとを電気的に接続し、押すことにより前記発光ユニットと前記カラーピッカーを駆動する起動器と、を備える。
【０００６】
本考案の他の実施例によれば、筒状ハウジング、回路基板、及び拡張板を備えるＵＳＢレセプタクルコネクタが提供される。前記筒状ハウジングは、互いに反対側にある前端部と後端部とを有する。前記筒状ハウジングは、前記前端部から前記後端部に凹設して構成された配置槽と、前記配置槽と連通するように前記後端部に凹設される、断面積が前記配置槽より大きく構成される収容槽と有する。前記回路基板は、一端に舌部が形成される。前記舌部はＵＳＢ３．１のタイプＣ接続インターフェースを備える。その中、回路基板は、前記配置槽内に穿設される。前記舌部が前記前端部に位置されている。前記拡張板は、前記回路基板における前記舌部から離れる他端に略垂直に接続され、前記収容槽内に収容される。
【考案の効果】
【０００７】
以上を纏めると、本考案の実施例に開示されたタッチ制御装置、タッチ制御装置の機能拡張デバイス、及びＵＳＢレセプタクルコネクタは、現在の金属シールドケースの代わりに、筒状ハウジングを使うことによりＵＳＢレセプタクルコネクタの応用範囲を広める事が出来る。（例えば、タッチペンと組み合わせること）
【０００８】
また、前記機能拡張デバイスにおける機能モジュールは色取り込みの機能を有する。その色取り込みの機能と組み合わせることにより、前記機能拡張デバイスと合わせたタッチペンはより優れる付加価値が得られる。更に、前記機能拡張デバイスは前記タッチペンのＵＳＢプラグコネクタ以外に応用されないため、タッチペンの既存の構造デザインを変更しない。そのため、タッチ制御装置の生産コストを効果的に減ることができる。
【図面の簡単な説明】
【０００９】
【図１】本考案に係るタッチ制御装置を示す模式的な斜視図である。
【図２】図１に示したタッチ制御装置の模式的な分解図である。
【図３】図２に示した機能拡張デバイスを示す模式的な分解図である。
【図４】図２に示した機能拡張デバイスを別の視点から示す模式的な分解図である。
【図５】本考案に係る機能拡張デバイスの筒状ハウジングを示す斜面断面図である。
【図６】本考案に係る機能拡張デバイスの筒状ハウジングを別の視点から示す斜面断面図である。
【図７】図２の切断面線VII-VIIから見た模式的な断面図である。
【図８】図２の切断面線VIII-VIIIから見た模式的な断面図である。
【図９】図２の切断面線IX-IXから見た模式的な断面図である。
【図１０】図２の切断面線X-Xから見た模式的な断面図である。
【考案を実施するための形態】
【００１０】
本考案が採用した特徴及び技術内容を更に理解することができるように、以下、本考案に関する詳細の説明、及び図面を参照してください。但し、図面は、説明の便宜上、参考のために用いるものに過ぎず、本考案の権利範囲を制限するものではない。
【００１１】
図１から図１０は本発明の実施例を示している。先に説明しなければならないのは、本実施例では、その内容をよく理解するために、図面を話題にした関連の数量と外形に対応して、具体的に本発明の実施方法を説明するだけであるが、それによって、本発明の権利の範囲を限定されるものではない。
【００１２】
図１及び図２により、本実施例は、タッチペン２００と、着脱自在に前記タッチペン２００に取り付ける機能拡張デバイス１００とを備えるタッチ制御装置１０００が開示されている。あらかじめ説明しなければならないのは、本実施例において、前記機能拡張デバイス１００はタッチペン２００と組み合わせて説明されるが、本考案の機能拡張デバイス１００の応用範囲はそれに限らない。以下、前記タッチ制御装置１０００の各デバイス構造及び連接関係を別々に説明する。
【００１３】
前記タッチペン２００はタッチパネル（図示なし）に書き込むように適用されている。そして、本実施例におけるタッチペン２００は、アクティブタッチペンと言う。そのため、パッシブタッチペンは本実施例に言うタッチペン２００ではない。詳しく言うと、前記タッチペン２００の一端にはタッチペン先２０１が設けられ、前記タッチペン２００の他端には、ＵＳＢプラグコネクタ２０２が設けられる。また、本実施例におけるＵＳＢプラグコネクタ２０２はＵＳＢ３．１のタイプＣ接続インターフェースを備える。前記タッチペン２００はさらに電源モジュール２０３（例えば、充電式バッテリー）が組み込まれている。前記電源モジュール２０３は前記タッチペン先２０１及びＵＳＢプラグコネクタ２０２と電気的に接続されている。つまり、前記電源モジュール２０３は前記ＵＳＢプラグコネクタ２０２によって送電または受電する
【００１４】
図３及び図４により、前記機能拡張デバイス１００はＵＳＢレセプタクルコネクタ１と、前記ＵＳＢレセプタクルコネクタ１に取り付ける機能モジュール２と、着脱自在に前記ＵＳＢレセプタクルコネクタ１に設けられるエンドキャップ３と、移動可能に上記エンドキャップ３に穿設される透明ボタン４と、を備える。
【００１５】
その中に、前記ＵＳＢレセプタクルコネクタ１は着脱自在に前記タッチペン２００のＵＳＢプラグコネクタ２０２に挿設する。ＵＳＢレセプタクルコネクタ１とＵＳＢプラグコネクタ２０２との組み合わせることにより、前記タッチペン２００の電源モジュール２０３と前記機能拡張デバイス１００の機能モジュール２とを電気的に接続するようにする。なお、前記所述ＵＳＢレセプタクルコネクタ１は本実施例において前記機能モジュール２と組み合わせて使用するように説明したが、本考案のＵＳＢレセプタクルコネクタ１の応用範囲はそれに限らない。
【００１６】
具体的に言えば、本実施例に係るＵＳＢレセプタクルコネクタ１は、筒状ハウジング１１と、前記筒状ハウジング１１内に設けられる回路基板１２と、回路基板１２に取り付ける複数の電子デバイス１３と、前記回路基板１２と接続されるとともに前記筒状ハウジング１１に設けられる拡張板１４と、前記回路基板１２とともに前記拡張板１４と接続される複数の溶接部１５とを備える。
【００１７】
その中、本実施例において、前記筒状ハウジング１１は一体成形された一体型構造である。また、筒状ハウジング１１の材料（例えば、金属或いはプラスチック）はデザイナーの要望に応じて調整できるように、本考案にて限定されていない。さらに、前記筒状ハウジング１１の外側面は前記タッチペン２００の外側面と一面になることが好ましい。また、前記筒状ハウジング１１は本実施例において円柱体に形成され、即ち、筒状ハウジング１１が円形断面を持ちことになるが、本考案にてそれらの条件を限定されていない。例えば、本考案における図示のない他の実施例において、前記筒状ハウジング１１及び前記タッチペン２００は多角形断面を持ちこともできる。
【００１８】
図５及び図６により、前記筒状ハウジング１１には互いに反対側にある前端部１１１と後端部１１２が設けられている。その中、前記筒状ハウジング１１は前端部１１１から後端部１１２にわたって凹設するように配置槽１１３が形成されている。前記筒状ハウジング１１は後端部１１２に前記配置槽１１３と連通するように凹設して構成されている収容槽１１４が形成されている。前記収容槽１１４の断面積は前記配置槽１１３の断面積より大きいである。
【００１９】
詳しく言うと、前記配置槽１１３は前記前端部１１１内に含まれる前段槽１１３１と、前記後端部１１２内にある後段槽１１３２と、前記後端部１１２内にあると共にそれぞれ前記後段槽１１３２の反対側（図７に参照するように、後段槽１１３２の左側と右側である）に位置される二つの制限槽１１３３と、を備える。
前記後段槽１１３２の構造と前記前段槽１１３１の構造とは異なる。前記前段槽１１３１の構造は前記タッチペン２００のＵＳＢプラグコネクタ２０２を収容するのに適合し、前記後段槽１１３２（及び前記二つの制限槽１１３３）の構造は前記回路基板１２及びその上の電子デバイス１３を収容するのに適合する。
【００２０】
その中、前記前段槽１１３１は二つの平面壁１１３１ａ、及び二つの曲面壁１１３１ｂを含む。前記二つの平面壁１１３１ａは互いに平行する。前記二つの曲面壁１１３１ｂの一つは前記二つの平面壁１１３１ａの一端に接続され、二つの曲面壁１１３１ｂのもう一つは前記二つの平面壁１１３１ａの他端に接続される。また、前記前段槽１１３１は前記二つの平面壁１１３１ａと垂直した一つの断面（図８に参照）に位置され、前記二つの曲面壁１１３１ｂはそれぞれ円心が前段槽１１３１内にある二つの円弧状である。前記前段槽１１３１の横断面は楕円形に似るが、本考案ではこれらの条件を限定されない。
【００２１】
前記筒状ハウジング１１は二つの前端壁１１５と一つの後端壁１１６を含む。その中、上記二つの前端壁１１５は前記後段槽１１３２の前端に位置される。二つの前端壁１１５の位置はそれぞれ前記二つの曲面壁１１３１ｂに対応するとともに、前記二つの前端壁１１５は前記前段槽１１３１の槽底とする。前記後端壁１１６は前記後段槽１１３２の後端に位置され、前記収容槽１１４の槽底とする。
【００２２】
更に、前記各々の前端壁１１５の略中央位置に、前記後端壁１１６まで凹設するように構成された前記制限槽１１３３が形成される。前記各々の制限槽１１３３は前記後段槽１１３２及び収容槽１１４に連通する。更に言うと、前記二つの制限槽１１３３の槽底の間の距離は前記後段槽１１３２の幅より大きいであるが、前記二つの曲面壁１１３１ｂの間の最大の距離（即ち、前段槽１１３１の幅）より略小さくなっている。前記後端壁１１６に、それぞれが後段槽１１３２の上下両側に位置される二つの切り口１１６１が凹設するように形成される。前記二つの切り口１１６１は前記後段槽１１３２と前記収容槽１１４と連通している。
【００２３】
図３、図４、図９及び図１０により、前記回路基板１２はそれの一端に位置された舌部１２１、及び前記舌部１２１に接続されると共に前記舌部と一平面になる載置部１２２を備える。その中、前記舌部１２１はＵＳＢ３．１のタイプＣ接続インターフェースを有し、それを利用して前記タッチペン２００のＵＳＢプラグコネクタ２０２と互いにドッキングする。前記載置部１２２は前記複数の電子デバイス１３が設置するためのものである。
【００２４】
前記回路基板１２は前記筒状ハウジング１１の前記配置槽１１３内に穿設される。前記舌部１２１は前記前端部１１１内（或いは前段槽１１３１内）に位置されている。前記載置部１２２は前記後端部１１２内（即ち後段槽１１３２及び二つの制限槽１１３３内）に位置されている。その中、前記載置部１２２の二つの側縁はそれぞれ前記制限槽１１３３内に穿設するように位置されている。前記載置部１２２の他の部分及びその上の電子デバイス１３は後段槽１１３２内に位置されている。
【００２５】
詳しく言うと、前記舌部１２１が前記前段槽１１３１のいずれの平面壁１１３１ａに至る距離は同じである。そして、前記二つの平面壁１１３１ａと垂直する円形断面において、前記舌部１２１はその円形断面の一つの直径上に位置されている。そして、前記筒状ハウジング１１の厚肉は前記舌部１２１と対応する垂直二等分線Ｃに部分から両側（図８のように、垂直二等分線Ｃの左側と右側である）に向かって逓減するように構成されている。
【００２６】
前記拡張板１４は前記舌部１２１から離れる回路基板１２の他端（図３のように、回路基板１２の右端）に略垂直に接続されている。即ち、前記舌部１２１から離れる載置部１２２の末端は前記拡張板１４に略垂直に接続されている。その中、本実施例における拡張板１４は略円形となり、前記載置部１２２の末端は前記拡張板１４の内板面の一つの直径に接続されている。
【００２７】
更に、前記拡張板１４は前記収容槽１１４に収容され、前記後端壁１１６（即ち、収容槽１１４の槽底）に設けられている。前記機能モジュール２は前記拡張板１４における前記回路基板１２と接続されない外板面に取り付けられている。その中、前記載置部１２２と前記拡張板１４とが形成された角度に複数の溶接部１５が設けられる。前記複数の溶接部１５により、前記回路基板１２と前記拡張板１４とを電気的に接続させる。また、前記複数の溶接部１５はそれぞれ前記二つの切り口１１６１に収容されている。
【００２８】
前記のことにより、前記タッチペン２００のＵＳＢプラグコネクタ２０２と前記機能拡張デバイス１００のＵＳＢレセプタクルコネクタ１が互いにドッキングすることにあたって、前記ＵＳＢプラグコネクタ２０２は前記配置槽１１３（配置槽１１３の前段槽１１３１）に穿設されて前記舌部１２１と電気的に接続される。それによって、前記機能モジュール２を前記タッチペン２００に電気的に接続させ、前記タッチペン２００の電源モジュール２０３により前記機能モジュール２の作動に必要の電力を提供する。
【００２９】
あらかじめに説明しなければならないのは、前記タッチ制御装置１０００の機能モジュール２は下記において色取り込み機能のあるデバイスとして説明しているが、実際に応用する場合は、前記機能モジュール２が有する機能はデザイナーの要望に応じて調整しまたは変更でき、本考案にてはそれらの条件を限定されていない。
【００３０】
詳しく言うと、前記タッチ制御装置１０００は前記タッチペン２００或いは前記機能拡張デバイス１００に取り付ける処理装置２０４を含む。本実施例における処理装置２０４はタッチペン２００に取り付ける場合として説明する。しかしながら、本考案が図示ない実施例において、前記処理装置２０４は、機能拡張デバイス１００の拡張板１４の外板面、或いは回路基板１２の載置部１２２に取り付けられている。即ち、機能モジュール２は処理装置２０４を備えてもよい。また、載置部１２２における複数の電子デバイス１３において一つの電子デバイス１３を処理装置２０４としてもよい。
【００３１】
図３、図４、図９および図１０により、前記機能モジュール２はカラーピッカー２１、発光ユニット２２、および起動器２３を備える。前記起動器２３は前記拡張板１４の外板面における略中央位置に設けられる。前記カラーピッカー２１と発光ユニット２２はそれぞれ前記起動器２３の反対側に設けられるが、本考案にはそれらの条件を限定されていない。
【００３２】
その中、前記カラーピッカー２１は電気的に前記処理装置２０４と接続される。前記発光ユニット２２（例えば、発光ダイオードチップである）は白色光を発生する。起動器２３は前記発光ユニット２２と前記カラーピッカー２１とに電気的に接続される。前記起動器２３は押されることにより、前記発光ユニット２２および前記カラーピッカー２１を駆動させることができる。さらに言うと、前記カラーピッカー２１は外部の色を取り込まれるとともに、前記処理装置２０４に介して前記タッチペン先２０１が一タッチパネルに外部の色を書き込むようにすることができる。
【００３３】
また、図３、図４、図９および図１０により、前記エンドキャップ３は着脱自在に前記筒状ハウジング１１の後端部１１２に取り付けられている。また、前記エンドキャップ３の一部は前記筒状ハウジング１１の収容槽１１４内に位置され、前記拡張板１４の外板面の周縁に対応する。上記により、前記回路基板１２と拡張板１４を筒状ハウジング１１に強固に取り付けられている。しかしながら、本考案において回路基板１２と拡張板１４の定位方式は前記方式に限らない。
【００３４】
前記透明ボタン４は前記エンドキャップ３に穿設され前記透明ボタン４に当接する。それにより、前記透明ボタン４が押されることがきっかけに、前記起動器２３を起動させる。さらに、前記透明ボタン４が外部オブジェクトに押された場合、前記起動器２３は透明ボタン４により起動されて前記発光ユニット２２と前記カラーピッカー２１を駆動する。それにより、前記発光ユニット２２が発する白色光を前記透明ボタン４を通じて前記外部オブジェクトに投射する。そして、前記カラーピッカー２１は、前記外部オブジェクトにより反射されて前記透明ボタン４を通じた光線を受光できる。
【００３５】
[本考案の実施例による効果]
上記を纏めることにより、本考案の実施例が開示したタッチ制御装置、タッチ制御装置の機能拡張デバイス、およびＵＳＢレセプタクルコネクタは、筒状ハウジングにて現在にある金属シールドケースを代わることにより、前記ＵＳＢレセプタクルコネクタの応用範囲をより広める可能である（例えば、タッチペン組み合わせる）。
また、前記機能拡張デバイスの機能モジュールは色取り込む機能がある。前記色取り込む機能を前記機能拡張デバイスに組み合わせることにより、タッチペンはより優れる付加価値が得られる。更に、前記機能拡張デバイスは前記タッチペンのＵＳＢプラグコネクタ以外に応用されないため、タッチペンの既存の構造デザインを変更しない。そのため、タッチ制御装置の生産コストを効果的に減ることができる。
【００３６】
以上において本考案のよい実施例につき説明したが、本考案はこれらの実施例に限定されるものでなく、本考案技術思想の範囲内において種々設計変更が可能であり、それらは何れも本考案の技術的範囲に属するものである。
【符号の説明】
【００３７】
１    ＵＳＢレセプタクルコネクタ
２    機能モジュール
３    エンドキャップ
４    透明ボタン
１１    筒状ハウジング
１１１    前端部
１１２    後端部
１１３    配置槽
１１３１    前段槽
１１３１ａ    平面壁
１１３１ｂ    曲面壁
１１３２    後段槽
１１３３    制限槽
１１４    収容槽
１１５    前端壁
１１６    後端壁
１１６１    切り口
１２    回路基板
１２１    舌部
１２２    載置部
１３    電子デバイス
１４    拡張板
１５    溶接部
２１    カラーピッカー
２２    発光ユニット
２３    起動器
１００    機能拡張デバイス
２００    タッチペン
２０１    タッチペン尖
２０２    ＵＳＢプラグコネクタ
２０３    電源モジュール
２０４    処理装置
１０００    タッチ制御装置
Ｃ    垂直二等分線
【図１】
0003216015.tif 000003
【図２】
0003216015.tif 000004
【図３】
0003216015.tif 000005
【図４】
0003216015.tif 000006
【図５】
0003216015.tif 000007
【図６】
0003216015.tif 000008
【図７】
0003216015.tif 000009
【図８】
0003216015.tif 000010
【図９】
0003216015.tif 000011
【図１０】
0003216015.tif 000012
【手続補正書】
【提出日】平成30年3月2日(2018.3.2)
【手続補正１】
【補正対象書類名】実用新案登録請求の範囲
【補正対象項目名】全文
【補正方法】変更
【補正の内容】
【実用新案登録請求の範囲】
【請求項１】
タッチペン先が一端に設け、ＵＳＢ３．１のタイプＣ接続インターフェースを備えるＵＳＢプラグコネクタが他端に設け、前記タッチペン先と前記ＵＳＢプラグコネクタとに電気的に接続される電源モジュールを含む、タッチペンと、
前記タッチペンに設けられるＵＳＢプラグコネクタに着脱自在に差し込むＵＳＢレセプタクルコネクタと、前記ＵＳＢレセプタクルコネクタに取り付けられる機能モジュールと、を備える機能拡張デバイスと、
を備えるタッチ制御装置であって、
前記ＵＳＢレセプタクルコネクタは、
互いに反対側にある前端部と後端部とを有し、前記前端部から前記後端部にわたって凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容され、前記回路基板と接続されない外板面にて機能モジュールが取り付けられる拡張板と
を備え、
前記タッチペンの前記ＵＳＢプラグコネクタと前記機能拡張デバイスの前記ＵＳＢレセプタクルコネクタとを互いにドッキングすることにあたって、前記ＵＳＢプラグコネクタを前記配置槽内に穿設し前記舌部と電気的に接続することにより、前記機能モジュールと前記タッチペンとを電気的に接続させ、前記タッチペンの前記電源モジュールにより前記機能モジュールの作動に必要の電力を提供することを特徴とするタッチ制御装置。
【請求項２】
前記配置槽はさらに、
いずれも前記舌部に至る距離が同じで互いに平行する二つ平面壁と、一つが前記二つの平面壁の一端に連接され、もう一つが前記二つの平面壁の他端に連接される二つの曲面壁と、が設けられ前記前端部に位置される前段槽と、
構造が前記前段槽と異なるとともに、前記後端部に位置される後段槽と、
を備える請求項１に記載のタッチ制御装置。
【請求項３】
前記筒状ハウジングは円柱体に形成され、それの外側面が前記タッチペンの外側面と面一になり、
前記機能拡張デバイスは前記二つの平面壁に垂直する円形断面に、前記舌部が前記円形断面の直径上に位置され、
前記筒状ハウジングの肉厚は前記舌部の垂直二等分線に対応する部分から両側に向かって逓減するように構成される請求項２に記載のタッチ制御装置。
【請求項４】
前記筒状ハウジングは、前記後段槽の前端に設けられる、それぞれの位置が前記曲面壁に対応して前記前段槽の槽底とする二つの前端壁と、前記後段槽の後端に設けられ、前記収容槽の槽底とする後端壁とを備える、請求項２に記載のタッチ制御装置。
【請求項５】
前記前端壁の各々の略中央位置には、前記後端壁まで凹設するとともに、それぞれが前記後段槽と前記収容槽とに連通するように構成される制限槽が設けられ、
前記回路基板はさらに、前記舌部と接続されて前記舌部から離れる末端が前記拡張板に略垂直に接続される、両側縁がそれぞれ前記二つの制限槽内に穿設するように定位された載置部を備える、請求項４に記載のタッチ制御装置。
【請求項６】
前記後端壁には二つの切り口が凹設するように設けられ、
前記拡張板は前記後端壁に設け、
前記ＵＳＢレセプタクルコネクタはさらに、前記回路基板と前記拡張板とを接続するとともに、それぞれが前記二つの切り口に収容された溶接部を含む請求項４に記載のタッチ制御装置。
【請求項７】
前記タッチ制御装置は、前記タッチペン或いは前記機能拡張デバイスに取り付けられる処理装置を備え、
前記機能モジュールは、
前記処理装置と電気的に接続され、外部の色を取り込むとともに、前記処理装置を介して、前記タッチペン先が前記外部の色をタッチパネルに書き込み入力させるようにするカラーピッカーと、
白色光を発生する発光ユニットと、
前記発光ユニットと前記カラーピッカーとを電気的に接続し、押すことにより前記発光ユニットと前記カラーピッカーを駆動する起動器と、
を備える請求項１から６のいずれか１項に記載のタッチ制御装置。
【請求項８】
前記起動器は前記拡張板の前記外板面における略中央位置に設けられ、
前記カラーピッカーと前記発光ユニットはそれぞれ前記起動器において反対側に設けられ、
前記機能拡張デバイスは、着脱自在に前記筒状ハウジングの前記後端部に取れ付ける、一部が前記収容槽に位置され前記拡張板の前記外板面周縁に対応するエンドキャップと、押されると前記起動器を起動できるように、前記エンドキャップに穿設するように前記起動器に当接する透明ボタンと、を備え、
前記透明ボタンが外部オブジェクトに対して押されるとき、前記起動器は、前記透明ボタンにより起動され、前記発光ユニットと前記カラーピッカーを駆動し、前記発光ユニットが発生する白色光を前記透明ボタンから通じ、前記外部オブジェクトに投射させ、
前記カラーピッカーは前記外部オブジェクトにより反射され前記透明ボタンから通じた光線を受光する請求項７に記載のタッチ制御装置。
【請求項９】
互いに反対側にある前端部と後端部とを有し、前記前端部から前記後端部にわたって凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容され、前記回路基板に接続されない外板面にて機能モジュールが取り付けられる拡張板と、
を備えるＵＳＢレセプタクルコネクタと、
処理装置と、前記処理装置と電気的に接続されるカラーピッカーと、白色光を発生する発光ユニットと、前記発光ユニットと前記カラーピッカーとを電気的に接続し、押すことにより前記発光ユニットと前記カラーピッカーを駆動する起動器と、を備え、前記ＵＳＢレセプタクルコネクタにおける拡張板に取り付けられる機能モジュールと、
を含むタッチ制御装置の機能拡張デバイス。
【請求項１０】
互いに反対側にある前端部と後端部とを有し、前記前端部から前記後端部に凹設して構成された配置槽と、前記配置槽と連通するように前記後端部に凹設される、断面積が前記配置槽より大きく構成される収容槽とが設けられる、筒状ハウジングと、
ＵＳＢ３．１のタイプＣ接続インターフェースを備える舌部を前記前端部に位置するように一端に形成させ、前記配置槽内に穿設される回路基板と、
前記回路基板における前記舌部から離れる他端に略垂直に接続され、前記収容槽内に収容される拡張板と、
を備えるＵＳＢレセプタクルコネクタ。